(57)【要約】【課題】遊技機が設置される場所にかかわらず、押圧操作を正常に検知できるベットボタンを備えた遊技機を提供すること。【解決手段】ベットボタン１１は、有底円筒状の筐体１１ａと、押し込み操作によって筐体１１ａの内部を底部側に向かって移動可能な円盤状のボタン本体１１ｂと、筐体１１ａの底部側に押し込まれたボタン本体１１ｂを初期位置に復帰させる圧縮コイルばね１１ｊと、ボタン本体１１ｂの押し込み方向の先端部に設けられた永久磁石１１ｒと、筐体１１ａの底部に配置された基板１１ｆと、永久磁石１１ｒに対向するように基板１１ｆに配設された一対の電極１１ｎ，１１ｎと、ボタン本体１１ｂの押し込み量に応じて一対の電極１１ｎ，１１ｎ又は永久磁石１１ｒのいずれか一方側に移動可能に設けられ、導電性及び強磁性を有する短絡体１１ｐと、を備える。【選択図】図６
2010005082.tif 000002
【特許請求の範囲】
【請求項１】
遊技者が押圧操作する操作ボタンを備えた遊技機であって、
前記操作ボタンは、前記遊技機の内部に預けられている遊技媒体から１回の遊技に投入する枚数を決定するベットボタンであり、
有底筒状の筐体と、
押し込み操作によって前記筐体の内部を底部側に向かって移動可能なボタン本体と、
前記筐体の底部側に押し込まれた前記ボタン本体を初期位置に復帰させる付勢部材と、
前記ボタン本体の押し込み方向の先端部に設けられた永久磁石と、
前記筐体の底部に配置された基板と、
前記永久磁石に対向するように前記基板に配設された一対の電極と、
前記ボタン本体の押し込み量に応じて前記一対の電極又は前記永久磁石のいずれか一方側に移動可能に設けられ、導電性及び強磁性を有する短絡体と、
を備え、
前記短絡体は、前記ボタン本体が前記筐体の底部側に押し込まれていないときには、前記一対の電極を短絡する一方、前記ボタン本体が前記筐体の底部側に押し込まれたときには、前記永久磁石に吸着され又は引き寄せられ前記一対の電極の短絡を開放することを特徴とする遊技機。
【請求項２】
遊技者が押圧操作する操作ボタンを備えた遊技機であって、
前記操作ボタンは、複数の図柄が表面に配されたリールの回転を停止させる停止ボタンであり、
有底筒状の筐体と、
押し込み操作によって前記筐体の内部を底部側に向かって移動可能なボタン本体と、
前記筐体の底部側に押し込まれた前記ボタン本体を初期位置に復帰させる付勢部材と、
前記ボタン本体の押し込み方向の先端部に設けられた永久磁石と、
前記筐体の底部に配置された基板と、
前記永久磁石に対向するように前記基板に配設された一対の電極と、
前記ボタン本体の押し込み量に応じて前記一対の電極又は前記永久磁石のいずれか一方側に移動可能に設けられ、導電性及び強磁性を有する短絡体と、
を備え、
前記短絡体は、前記ボタン本体が前記筐体の底部側に押し込まれていないときには、前記一対の電極を短絡する一方、前記ボタン本体が前記筐体の底部側に押し込まれたときには、前記永久磁石に吸着され又は引き寄せられ前記一対の電極の短絡を開放することを特徴とする遊技機。
【請求項３】
傾動操作可能なシャフトと、当該シャフトの先端に設けられ遊技者によって把持されるグリップとを有するスタートレバーの姿勢を検知する姿勢検知装置を備えた遊技機であって、
前記姿勢検知装置は、
筐体と、基板に設けられた一対の電極と、導電性及び強磁性を有し前記一対の電極を短絡又は開放する短絡体と、前記一対の電極に当接するように前記短絡体を付勢する付勢部材と、を有するスイッチ本体と、
前記付勢部材の付勢力に抗して前記短絡体を前記一対の電極から磁力で引き離す永久磁石と、
を備え、
前記永久磁石は、前記シャフトの基端部に設けられ、かつ、前記スタートレバーが傾動されたときに前記スイッチ本体に近接するように設けられ、
前記短絡体は、前記スタートレバーが傾動されていないときには、前記一対の電極を短絡する一方、前記スタートレバーが傾動されたときには、前記永久磁石の磁力によって当該永久磁石の側に引き寄せられ前記一対の電極の短絡を開放することを特徴とする遊技機。
【請求項４】
前面に開口を有するキャビネットと、
前記キャビネットと回動可能に連結して前記開口を開閉するフロントドアと、
前記フロントドアの開閉を検知する開閉検知装置と、
を備える遊技機であって、
前記開閉検知装置は、
筐体と、基板に設けられた一対の電極と、導電性及び強磁性を有し前記一対の電極を短絡又は開放する短絡体と、前記一対の電極に当接するように前記短絡体を付勢する付勢部材と、を有するスイッチ本体と、
前記付勢部材の付勢力に抗して前記短絡体を前記一対の電極から磁力で引き離す永久磁石と、
を備え、
前記スイッチ本体及び前記永久磁石は、前記フロントドアと前記キャビネットの一対の対向面のうちいずれか一方に設けられ、
前記短絡体は、前記フロントドアが開いているときには、前記一対の電極を短絡する一方、前記フロントドアが閉じているときには、前記永久磁石の磁力によって当該永久磁石の側に引き寄せられ前記一対の電極の短絡を開放することを特徴とする遊技機。
【発明の詳細な説明】
【技術分野】
【０００１】
本発明は、遊技機に関する。
【背景技術】
【０００２】
従来、複数の図柄がそれぞれの表面に配された複数のリールと、遊技メダルやコイン等（以下、「メダル等」という）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチ及びストップスイッチにより出力された信号に基づいて、ステッピングモータの動作を制御し、各リールの回転及びその停止を行うリール制御部と、を備え、スタートレバーが操作されたことを検出すると、乱数値に基づいて抽籤を行い、この抽籤の結果（以下、「内部当籤役」という）とストップボタンが操作されたことを検出したタイミングとに基づいてリールの回転の停止を行う、パチスロと呼ばれる遊技機が知られている。
【０００３】
すなわち、このような遊技機は、遊技者がメダル等の投入数をベットボタンで設定した後、遊技者がスタートレバーを傾倒操作することで複数のリールが一斉に回転するようになっている。そして、各リールが所定の回転数に達した後、遊技者が複数のストップボタンを任意の順序で押圧操作することで、対応するリールをそれぞれ停止するようになっている。上記ベットボタンやストップボタン等のボタン装置及びスタートレバーには、頻繁に操作されることから、耐久性に難がある有接点型のスイッチではなく、フォトインタラプタ等を用いた無接点型のスイッチが採用されている。
【０００４】
また、フロントドアの開閉検知装置としても、上記フォトインタラプタが採用されていることが多い。
【０００５】
上記ベットボタン、ストップボタン、スタートレバー及びフロントドアの開閉検知装置に採用されている検出用のスイッチでは、押圧操作や傾動操作、フロントドアの開閉がなされると、スイッチの可動部がフォトインタラプタの検出溝に入り、投光部と受光部との間の光を遮る。このとき、受光素子の光量が変化するので、この変化を電気的に増幅し、操作信号として出力している（例えば、特許文献１参照）。
【特許文献１】特開２００６−００６７１５号公報
【発明の開示】
【発明が解決しようとする課題】
【０００６】
しかしながら、従来の遊技機で使用されている上記フォトインタラプタは、外乱光に影響されてしまうという欠点を有している。このため、光による演出（電飾）等が多用されている遊技場では、遊技機の上記ベットボタン、ストップボタン、スタートレバー及びフロントドアの開閉検知装置等が、外乱光によって正常に動作しない虞があった。
【０００７】
本発明は、このような問題に鑑みてなされたものであり、遊技機が設置される場所にかかわらず、押圧操作を正常に検知できるベットボタンを備えた遊技機を提供することを目的とする。
【０００８】
また、本発明は、遊技機が設置される場所にかかわらず、押圧操作を正常に検知できる停止ボタンを備えた遊技機を提供することを目的とする。
【０００９】
また、本発明は、遊技機が設置される場所にかかわらず、スタートレバーの姿勢を正常に検知できる姿勢検知装置を備えた遊技機を提供することを目的とする。
【００１０】
また、本発明は、遊技機が設置される場所にかかわらず、フロントドアの開閉を正常に検知できる開閉検知装置を備えた遊技機を提供することを目的とする。
【課題を解決するための手段】
【００１１】
本発明は、以下のような遊技機を提供する。
【００１２】
（１）  遊技者が押圧操作する操作ボタンを備えた遊技機であって、前記操作ボタンは、前記遊技機の内部に預けられている遊技媒体から１回の遊技に投入する枚数を決定するベットボタンであり、有底筒状の筐体と、押し込み操作によって前記筐体の内部を底部側に向かって移動可能なボタン本体と、前記筐体の底部側に押し込まれた前記ボタン本体を初期位置に復帰させる付勢部材と、前記ボタン本体の押し込み方向の先端部に設けられた永久磁石と、前記筐体の底部に配置された基板と、前記永久磁石に対向するように前記基板に配設された一対の電極と、前記ボタン本体の押し込み量に応じて前記一対の電極又は前記永久磁石のいずれか一方側に移動可能に設けられ、導電性及び強磁性を有する短絡体と、を備え、前記短絡体は、前記ボタン本体が前記筐体の底部側に押し込まれていないときには、前記一対の電極を短絡する一方、前記ボタン本体が前記筐体の底部側に押し込まれたときには、前記永久磁石に吸着され又は引き寄せられ前記一対の電極の短絡を開放することを特徴とする遊技機。
【００１３】
ベットボタンの押圧操作がなされていないとき、すなわち、ボタン本体が筐体の底部側に押し込まれていないときには、短絡体は永久磁石による吸引力が及ばない離れた所に位置にしているので、短絡体は一対の電極と当接したままとなっており、一対の電極を短絡する。
【００１４】
一方、ベットボタンの押圧操作がなされたとき、すなわち、ボタン本体が筐体の底部側に押し込まれたときには、短絡体は永久磁石による吸引力が及ぶ所に位置にしているので、永久磁石に吸着され又は引き寄せられる。この結果、短絡体は一対の電極と当接しなくなり、短絡が開放される。
【００１５】
そして、上記短絡時及び上記短絡開放時における上記一対の電極からの出力の違いを検出することによって、ベットボタンの押圧操作の有無を検知することができる。
【００１６】
このように、（１）の発明による遊技機は、ベットボタンの押圧操作を磁力によって検知しているので、外乱光に影響されずに正常に検知できる。
【００１７】
したがって、（１）の発明による遊技機は、遊技機が設置される場所にかかわらず、押圧操作を正常に検知できるベットボタンを備えた遊技機を提供することができる。
【００１８】
（２）  遊技者が押圧操作する操作ボタンを備えた遊技機であって、前記操作ボタンは、複数の図柄が表面に配されたリールの回転を停止させる停止ボタンであり、有底筒状の筐体と、押し込み操作によって前記筐体の内部を底部側に向かって移動可能なボタン本体と、前記筐体の底部側に押し込まれた前記ボタン本体を初期位置に復帰させる付勢部材と、前記ボタン本体の押し込み方向の先端部に設けられた永久磁石と、前記筐体の底部に配置された基板と、前記永久磁石に対向するように前記基板に配設された一対の電極と、前記ボタン本体の押し込み量に応じて前記一対の電極又は前記永久磁石のいずれか一方側に移動可能に設けられ、導電性及び強磁性を有する短絡体と、を備え、前記短絡体は、前記ボタン本体が前記筐体の底部側に押し込まれていないときには、前記一対の電極を短絡する一方、前記ボタン本体が前記筐体の底部側に押し込まれたときには、前記永久磁石に吸着され又は引き寄せられ前記一対の電極の短絡を開放することを特徴とする遊技機。
【００１９】
停止ボタンの押圧操作がなされていないとき、すなわち、ボタン本体が筐体の底部側に押し込まれていないときには、短絡体は永久磁石による吸引力が及ばない離れた所に位置にしているので、短絡体は一対の電極と当接したままとなっており、一対の電極を短絡する。
【００２０】
一方、停止ボタンの押圧操作がなされたとき、すなわち、ボタン本体が筐体の底部側に押し込まれたときには、短絡体は永久磁石による吸引力が及ぶ所に位置にしているので、永久磁石に吸着され又は引き寄せられる。この結果、短絡体は一対の電極と当接しなくなり、短絡が開放される。
【００２１】
そして、上記短絡時及び上記短絡開放時における上記一対の電極からの出力の違いを検出することによって、停止ボタンの押圧操作の有無を検知することができる。
【００２２】
このように、（２）の発明による遊技機は、停止ボタンの押圧操作を磁力によって検知しているので、外乱光に影響されずに正常に検知できる。
【００２３】
したがって、（２）の発明による遊技機は、遊技機が設置される場所にかかわらず、押圧操作を正常に検知できる停止ボタンを備えた遊技機を提供することができる。
【００２４】
（３）  傾動操作可能なシャフトと、当該シャフトの先端に設けられ遊技者によって把持されるグリップとを有するスタートレバーの姿勢を検知する姿勢検知装置を備えた遊技機であって、前記姿勢検知装置は、筐体と、基板に設けられた一対の電極と、導電性及び強磁性を有し前記一対の電極を短絡又は開放する短絡体と、前記一対の電極に当接するように前記短絡体を付勢する付勢部材と、を有するスイッチ本体と、前記付勢部材の付勢力に抗して前記短絡体を前記一対の電極から磁力で引き離す永久磁石と、を備え、前記永久磁石は、前記シャフトの基端部に設けられ、かつ、前記スタートレバーが傾動されたときに前記スイッチ本体に近接するように設けられ、前記短絡体は、前記スタートレバーが傾動されていないときには、前記一対の電極を短絡する一方、前記スタートレバーが傾動されたときには、前記永久磁石の磁力によって当該永久磁石の側に引き寄せられ前記一対の電極の短絡を開放することを特徴とする遊技機。
【００２５】
スタートレバーの傾動操作がなされていないとき、すなわち、スイッチ本体の短絡体と永久磁石とが離れているときには、短絡体には永久磁石による吸引力が及ばないので、短絡体は付勢部材による付勢によって一対の電極と当接したままとなっており、一対の電極を短絡する。
【００２６】
一方、スタートレバーの傾動操作がなされたとき、すなわち、スイッチ本体の短絡体と永久磁石とが近接したときには、短絡体は永久磁石による吸引力が及ぶ所に位置にしているので、付勢部材の付勢力に抗して一対の電極から引き離される。この結果、短絡体は一対の電極と当接しなくなり、短絡が開放される。
【００２７】
そして、上記短絡時及び上記短絡開放時における上記一対の電極からの出力の違いを検出することによって、スタートレバーの傾動操作の有無を検知することができる。
【００２８】
このように、（３）の発明による遊技機は、スタートレバーの傾動操作を磁力によって検知しているので、外乱光に影響されずに正常に検知できる。
【００２９】
したがって、（３）の発明による遊技機は、遊技機が設置される場所にかかわらず、スタートレバーの姿勢を正常に検知できる姿勢検知装置を備えた遊技機を提供することができる。
【００３０】
（４）  前面に開口を有するキャビネットと、前記キャビネットと回動可能に連結して前記開口を開閉するフロントドアと、前記フロントドアの開閉を検知する開閉検知装置と、を備える遊技機であって、前記開閉検知装置は、筐体と、基板に設けられた一対の電極と、導電性及び強磁性を有し前記一対の電極を短絡又は開放する短絡体と、前記一対の電極に当接するように前記短絡体を付勢する付勢部材と、を有するスイッチ本体と、前記付勢部材の付勢力に抗して前記短絡体を前記一対の電極から磁力で引き離す永久磁石と、を備え、前記スイッチ本体及び前記永久磁石は、前記フロントドアと前記キャビネットの一対の対向面のうちいずれか一方に設けられ、前記短絡体は、前記フロントドアが開いているときには、前記一対の電極を短絡する一方、前記フロントドアが閉じているときには、前記永久磁石の磁力によって当該永久磁石の側に引き寄せられ前記一対の電極の短絡を開放することを特徴とする遊技機。
【００３１】
フロントドアが開いているときには、すなわち、スイッチ本体の短絡体と永久磁石とが離れているときには、短絡体には永久磁石による吸引力が及ばないので、短絡体は付勢部材による付勢によって一対の電極と当接したままとなっており、一対の電極を短絡する。
【００３２】
一方、フロントドアが閉じているとき、すなわち、スイッチ本体の短絡体と永久磁石とが近接したときには、短絡体は永久磁石による吸引力が及ぶ所に位置にしているので、付勢部材の付勢力に抗して一対の電極から引き離される。この結果、短絡体は一対の電極と当接しなくなり、短絡が開放される。
【００３３】
そして、上記短絡時及び上記短絡開放時における上記一対の電極からの出力の違いを検出することによって、フロントドアの開閉を検知することができる。
【００３４】
このように、（４）の発明による遊技機は、フロントドアの開閉を磁力によって検知しているので、外乱光に影響されずに正常に検知できる。
【００３５】
したがって、（４）の発明による遊技機は、遊技機が設置される場所にかかわらず、フロントドアの開閉を正常に検知できる開閉検知装置を備えた遊技機を提供することができる。
【発明の効果】
【００３６】
本発明による遊技機は、遊技機が設置される場所にかかわらず、押圧操作を正常に検知できるベットボタンを備えた遊技機を提供することができる。
【００３７】
また、本発明による遊技機は、遊技機が設置される場所にかかわらず、押圧操作を正常に検知できる停止ボタンを備えた遊技機を提供することができる。
【００３８】
また、本発明による遊技機は、遊技機が設置される場所にかかわらず、スタートレバーの姿勢を正常に検知できる姿勢検知装置を備えた遊技機を提供することができる。
【００３９】
また、本発明による遊技機は、遊技機が設置される場所にかかわらず、フロントドアの開閉を正常に検知できる開閉検知装置を備えた遊技機を提供することができる。
【発明を実施するための最良の形態】
【００４０】
〔第１実施形態〕
以下、図面を参照して本発明を実施するための最良の形態を説明する。
【００４１】
［パチスロの機能フロー］
本発明の遊技機に係る実施の形態について、以下図面を参照しながら説明する。はじめに、図１を参照して、本実施の形態における遊技機（以下、パチスロ）１の機能フローについて説明する。図１は、本実施の形態におけるパチスロ１の機能フローを示す説明図である。
【００４２】
遊技者によりメダルが投入され、スタートレバー６が操作されると、予め定められた数値の範囲（例えば、０〜６５５３５）の乱数から１つの値（以下、乱数値）が抽出される。
【００４３】
内部抽籤手段（後述のメインＣＰＵ３１）は、抽出された乱数値に基づいて抽籤を行い、内部当籤役を決定する。内部当籤役の決定により、後述の入賞判定ラインに沿って表示を行うことを許可する図柄の組合せが決定される。尚、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００４４】
続いて、複数のリール３Ｌ，３Ｃ，３Ｒの回転が行われた後で、遊技者によりストップボタン７Ｌ，７Ｃ，７Ｒが押されると、リール停止制御手段（後述のモータ駆動回路３９、後述のステッピングモータ４９Ｌ，４９Ｃ，４９Ｒ）は、内部当籤役とストップボタン７Ｌ，７Ｃ，７Ｒが押されたタイミングとに基づいて、該当するリール３Ｌ，３Ｃ，３Ｒの回転を停止する制御を行う。
【００４５】
ここで、パチスロ１では、基本的に、ストップボタン７Ｌ，７Ｃ，７Ｒが押されたときから規定時間（１９０ｍｓｅｃ）内に、該当するリール３Ｌ，３Ｃ，３Ｒの回転を停止する制御が行われる。本実施の形態では、上記規定時間内でのリール３Ｌ，３Ｃ，３Ｒの回転に伴って移動する図柄の数を「滑り駒数」と呼び、その最大数を図柄４個分に定める。
【００４６】
リール停止制御手段は、入賞に係る図柄の組合せの表示を許可する内部当籤役が決定されているときでは、上記規定時間を利用して、その図柄の組合せが入賞判定ラインに沿って極力表示されるようにリール３Ｌ，３Ｃ，３Ｒの回転を停止する。その一方で、内部当籤役によってその表示が許可されていない図柄の組合せについては、上記規定時間を利用して、入賞判定ラインに沿って表示されることがないようにリール３Ｌ，３Ｃ，３Ｒの回転を停止する。
【００４７】
こうして、複数のリール３Ｌ，３Ｃ，３Ｒの回転が全て停止されると、入賞判定手段（後述のメインＣＰＵ３１）は、入賞判定ラインに沿って表示された図柄の組合せが、入賞に係るものであるか否かの判定を行う。入賞に係るものであるとの判定が行われると、メダルの払い出し等の特典が遊技者に与えられる。以上のような一連の流れがパチスロ１における１回の遊技として行われる。
【００４８】
また、パチスロ１では、前述した一連の流れの中で、液晶表示装置５により行う映像の表示、ランプ１４により行う光の出力、スピーカ９Ｌ，９Ｒにより行う音の出力、或いはこれらの組合せを利用して様々な演出が行われる。
【００４９】
遊技者によりスタートレバー６が操作されると、前述の内部当籤役の決定に用いられた乱数値とは別に、演出用の乱数値（以下、演出用乱数値）が抽出される。演出用乱数値が抽出されると、演出内容決定手段（後述のサブＣＰＵ８１）は、内部当籤役に対応づけられた複数種類の演出内容の中から今回実行するものを抽籤により決定する。
【００５０】
演出内容が決定されると、演出実行手段は、リール３Ｌ，３Ｃ，３Ｒの回転が開始されるとき、各リール３Ｌ，３Ｃ，３Ｒの回転がそれぞれ停止されるとき、入賞の有無の判定が行われたとき等の各契機に連動させて演出の実行を進める。このように、パチスロ１では、内部当籤役に対応づけられた演出内容を実行することによって、決定された内部当籤役（言い換えると、狙うべき図柄の組合せ）を知る或いは予想する機会が遊技者に提供され、遊技者の興味の向上が図られる。
【００５１】
［パチスロの構造］
パチスロ１の機能フローについての説明は以上である。次に、図２及び図３を参照して、本実施の形態におけるパチスロ１の構造について説明する。
【００５２】
＜パチスロの外部構造＞
図２は、本実施の形態におけるパチスロ１の外部構造を示す斜視図である。
【００５３】
（リールと表示窓）
パチスロ１は、リール３Ｌ，３Ｃ，３Ｒや回路基板等を収容するキャビネット１ａと、キャビネット１ａに対して開閉可能に取り付けられるフロントドア２とを備える。キャビネット１ａの内部には、３つのリール３Ｌ，３Ｃ，３Ｒが横並びに設けられている。各リール３Ｌ，３Ｃ，３Ｒは、円筒状のフレームの周面に、複数の図柄（例えば２１個）が回転方向に沿って連続的に配された帯状のシートを貼り付けて構成されている。
【００５４】
フロントドア２の中央には、液晶表示装置５が設けられている。液晶表示装置５は、図柄表示領域２１Ｌ，２１Ｃ，２１Ｒを含む表示画面５ａを備え、正面から見て３つのリール３Ｌ，３Ｃ，３Ｒに重畳する手前側に位置するように設けられている。図柄表示領域２１Ｌ，２１Ｃ，２１Ｒは、３つのリール３Ｌ，３Ｃ，３Ｒのそれぞれに対応して設けられており、その背後に設けられたリール３Ｌ，３Ｃ，３Ｒを透過することが可能な構成を備えている。
【００５５】
つまり、図柄表示領域２１Ｌ，２１Ｃ，２１Ｒは、表示窓としての機能を果たすものであり、その背後に設けられたリール３Ｌ，３Ｃ，３Ｒの回転及びその停止の動作が遊技者側から視認可能となる。また、本実施の形態では、図柄表示領域２１Ｌ，２１Ｃ，２１Ｒを含めた表示画面５ａの全体を使って、映像の表示が行われ、演出が実行される。
【００５６】
図柄表示領域（以下、表示窓）２１Ｌ，２１Ｃ，２１Ｒは、その背後に設けられたリール３Ｌ，３Ｃ，３Ｒの回転が停止されたとき、リール３Ｌ，３Ｃ，３Ｒの表面に配された複数種類の図柄のうち、その枠内における上段、中段及び下段の各領域にそれぞれ１個の図柄（合計で３個）を表示する。また、各表示窓２１Ｌ，２１Ｃ，２１Ｒが有する上段、中段及び下段からなる３つの領域のうち予め定められたいずれかをそれぞれ組合せてなる擬似的なラインを、入賞か否かの判定を行う対象となるライン（入賞判定ライン）として定義する。
【００５７】
本実施の形態では、各表示窓２１Ｌ，２１Ｃ，２１Ｒの上段を組合せてなるトップライン８ｂ、各表示窓２１Ｌ，２１Ｃ，２１Ｒの中段を組合せてなるセンターライン８ｃ、各表示窓２１Ｌ，２１Ｃ，２１Ｒの下段を組合せてなるボトムライン８ｄ、左表示窓２１Ｌの上段、中表示窓２１Ｃの中段及び右表示窓２１Ｒの下段を組合せてなるクロスダウンライン８ｅ、左表示窓２１Ｌの下段、中表示窓２１Ｃの中段及び右表示窓２１Ｒの上段を組合せてなるクロスアップライン８ａの５つを入賞判定ラインとして設けている。
【００５８】
（操作装置）
フロントドア２には、遊技者による操作の対象となる各種装置が設けられている。メダル投入口１０は、遊技者によって外部から投下されるメダルを受け入れるために設けられる。メダル投入口１０に受け入れられたメダルは、所定枚数（例えば３枚）を上限として１回の遊技に投入されることとなり、所定枚数を超えた分はパチスロ１内部に預けることが可能となる（いわゆるクレジット機能）。
【００５９】
ベットボタン１１は、パチスロ１内部に預けられているメダルから１回の遊技に投入する枚数を決定するために設けられる。ベットボタン１１の詳細な構成については、後述する。精算ボタン１２は、パチスロ１内部に預けられているメダルを外部に引き出すために設けられる。
【００６０】
スタートレバー６は、全てのリール３Ｌ，３Ｃ，３Ｒの回転を開始するために設けられる。スタートレバー６の詳細な構成については、後述する。ストップボタン７Ｌ，７Ｃ，７Ｒは、３つのリール３Ｌ，３Ｃ，３Ｒのそれぞれに対応づけられ、対応するリール３Ｌ，３Ｃ，３Ｒの回転を停止するために設けられる。ストップボタン７Ｌ，７Ｃ，７Ｒの詳細な構成については、後述する。
【００６１】
（その他装置）
７セグ表示器１３は、７セグメントＬＥＤからなり、今回の遊技に投入されたメダルの枚数（以下、投入枚数）、特典として遊技者に対して払い出すメダルの枚数（以下、払出枚数）、パチスロ１内部に預けられているメダルの枚数（以下、クレジット枚数）等の情報を遊技者に対してデジタル表示する。
【００６２】
ランプ（ＬＥＤ等）１４は、演出内容に応じた点消灯のパターンにて光を出力する。スピーカ９Ｌ，９Ｒは、演出内容に応じた効果音や楽曲等の音を出力する。メダル払出口１５は、後述のメダル払出装置４０（後述の図３参照）の駆動により排出されるメダルを外部に導く。メダル払出口１５から排出されたメダルは、メダル受皿１６に貯められる。
【００６３】
＜パチスロの内部構造＞
図３は、本実施の形態におけるパチスロ１の内部構造を示す斜視図である。すなわち、図３には、フロントドア２が開放され、フロントドア２の裏面側の構造及びキャビネット１ａ内部の構造が現れた状態が示されている。
【００６４】
キャビネット１ａ内部の上方には、主制御回路７１（後述の図７参照）が形成された基板（以下、主基板７１Ａ）が設けられている。主制御回路７１は、内部当籤役の決定、リール３Ｌ，３Ｃ，３Ｒの回転及び停止、入賞の有無の判定といった、パチスロ１における遊技の主な流れを制御する回路である。主制御回路７１の具体的な構成は後述する。
【００６５】
キャビネット１ａ内部の中央には、３つのリール３Ｌ，３Ｃ，３Ｒが設けられている。各リール３Ｌ，３Ｃ，３Ｒのそれぞれには、所定の減速比をもったギアを介してステッピングモータ４９Ｌ，４９Ｃ，４９Ｒ（後述の図７参照）が接続されている。
【００６６】
３つのリール３Ｌ，３Ｃ，３Ｒの左側には、副制御回路７２（後述の図７参照）が形成された基板（以下、副基板７２Ａ）が設けられている。副制御回路７２は、映像の表示等による演出の実行を制御する回路である。副制御回路７２の具体的な構成は後述する。
【００６７】
キャビネット１ａ内部の下方には、多量のメダルを収容可能で、それらを１枚ずつ排出可能な構造を有するメダル払出装置（以下、ホッパー）４０が設けられている。ホッパー４０の左側には、パチスロ１が有する各装置に対して必要な電力を供給するための電源装置４３が設けられている。
【００６８】
フロントドア２裏側の中央、表示窓２１Ｌ，２１Ｃ，２１Ｒの下方には、セレクタ４２が設けられている。セレクタ４２は、材質や形状等が適正であるメダルか否かを選別する装置であり、メダル投入口１０に受け入れられた適正なメダルをホッパー４０へ案内する。尚、セレクタ４２内においてメダルが通過する経路上には、後述のメダルセンサ４２Ｓ（後述の図７参照）が設けられており、適正なメダルが通過したことを検出する。
【００６９】
（ベットボタン）
次に、図４、図５及び図６を参照して、第１実施形態におけるパチスロ１が備えるベットボタン１１の構成を説明する。ここで、図４は、第１実施形態に係る押圧前のベットボタン１１の内部構成を示す断面図、図５は、短絡体及び電極を示す平面図、図６は、押圧時のベットボタン１１の内部構成を示す断面図である。
【００７０】
図４〜図６に示すように、ベットボタン１１は、有底円筒状の筐体１１ａと、押し込み操作によって筐体１１ａの内部を底部側に向かって移動可能な円盤状のボタン本体１１ｂと、筐体１１ａの底部側に押し込まれたボタン本体１１ｂを初期位置に復帰させる圧縮コイルばね（付勢部材）１１ｊと、ボタン本体１１ｂの押し込み方向の先端部に設けられた永久磁石１１ｒと、筐体１１ａの底部に配置された基板１１ｆと、永久磁石１１ｒに対向するように基板１１ｆに配設された一対の電極１１ｎ，１１ｎと、ボタン本体１１ｂの押し込み量に応じて一対の電極１１ｎ，１１ｎ又は永久磁石１１ｒのいずれか一方側に移動可能に設けられ、導電性及び強磁性を有する短絡体１１ｐと、を備える。
【００７１】
筐体１１ａの内側壁部には、一対の係止突起１１ｅ，１１ｅが設けられている。ボタン本体１１ｂの底部両端には、一対の片矢印状の係止片１１ｄ，１１ｄが設けられている。上記一対の係止突起１１ｅ，１１ｅは、ボタン本体１１ｂの底部両端及び係止片１１ｄ，１１ｄの先端部と当接可能に突設されている。
【００７２】
すなわち、係止突起１１ｅ，１１ｅは、ボタン本体１１ｂの押圧方向の移動量を規制すると共に、係止片１１ｄ，１１ｄの反押圧方向の移動量を規制するように筐体１１ａに設けられている。
【００７３】
ボタン本体１１ｂの底部中央には、圧縮コイルばね１１ｊを巻装する軸部１１ｃが設けられている。圧縮コイルばね１１ｊは、一端がボタン本体１１ｂの底部に固定され、他端が基板１１ｆに固定されている。
【００７４】
軸部１１ｃの先端中央には、凹部１１ｈが設けられている。凹部１１ｈの深さは、ボタン本体１１ｂが押圧された際に、後述する軸部１１ｇの先端部が当接しない程度のものである。軸部１１ｃの先端には、円環状の永久磁石１１ｒが同軸に固着されている。
【００７５】
筐体１１ａの底部中央には、軸部１１ｇが基板１１ｆを貫いて立設されている。一対の電極１１ｎ，１１ｎは、図４及び図５に示すように、軸部１１ｇを挟み、離間して配置されている。尚、基板１１ｆ上の一対の電極１１ｎ，１１ｎの配線は、筐体１１ａの外部に引き出され、主制御回路７１の主基板７１Ａと接続されている。
【００７６】
短絡体１１ｐは、導電性及び強磁性を有する素材（例えば、鉄等）により円環状に形成されている。尚、短絡体１１ｐは、強磁性を有する素材を良導電性物質で被覆して形成してもよい。短絡体１１ｐは、軸部１１ｇに挿通され、半径方向の移動を規制されていると共に、軸部１１ｇの軸方向にのみ移動可能となっている。
【００７７】
また、短絡体１１ｐの直径は、軸部１１ｃ及び永久磁石１１ｒの直径と同一、或いは若干大きめに形成されているが、圧縮コイルばね１１ｊの内径よりも若干小さく形成されている。
【００７８】
また、軸部１１ｇの上部には、圧縮コイルばね１１ｋの一端を係止する係止部１１ｍが設けられている。圧縮コイルばね１１ｋの他端は、短絡体１１ｐに固定されている。すなわち、短絡体１１ｐは、圧縮コイルばね１１ｋによって一対の電極１１ｎ，１１ｎ側に常時、付勢されている。したがって、短絡体１１ｐは、ボタン本体１１ｂの押圧操作により永久磁石１１ｒによって引き寄せられていないときには、当該一対の電極１１ｎ，１１ｎと当接している。
【００７９】
永久磁石１１ｒの磁力の強さ及び圧縮コイルばね１１ｋの圧縮力（付勢力）の強さは、次の関係を有している。すなわち、ボタン本体１１ｂの押圧操作により永久磁石１１ｒが短絡体１１ｐに近接したときに、短絡体１１ｐは、圧縮コイルばね１１ｋの付勢力に抗して永久磁石１１ｒに吸着され、一対の電極１１ｎ，１１ｎの短絡を開放する。
【００８０】
以上のように、短絡体１１ｐは、ボタン本体１１ｂが筐体１１ａの底部側に押し込まれていないときには、一対の電極１１ｎ，１１ｎを短絡する一方、ボタン本体１１ｂが筐体１１ａの底部側に押し込まれたときには、永久磁石１１ｒに吸着され、一対の電極１１ｎ，１１ｎの短絡を開放するように構成されている。すなわち、短絡体１１ｐ、一対の電極１１ｎ，１１ｎ及び永久磁石１１ｒは、後述のベットスイッチ１１Ｓ（図７参照）を構成している。
【００８１】
［パチスロが備える回路の構成］
パチスロ１の構造についての説明は以上である。次に、図７及び図８を参照して、本実施の形態におけるパチスロ１が備える回路の構成について説明する。本実施の形態におけるパチスロ１は、主制御回路７１、副制御回路７２及びこれらと電気的に接続する周辺装置（アクチュエータ）を備える。
【００８２】
＜主制御回路＞
図７は、本実施の形態におけるパチスロ１の主制御回路７１の構成を示すブロック図である。
【００８３】
（マイクロコンピュータ）
主制御回路７１は、回路基板上に設置されたマイクロコンピュータ３０を主たる構成要素としている。マイクロコンピュータ３０は、ＣＰＵ（以下、メインＣＰＵ）３１、ＲＯＭ（以下、メインＲＯＭ）３２及びＲＡＭ（以下、メインＲＡＭ）３３により構成される。
【００８４】
メインＲＯＭ３２には、メインＣＰＵ３１により実行される制御プログラム、内部抽籤テーブル等のデータテーブル、副制御回路７２に対して各種制御指令（コマンド）を送信するためのデータ等が記憶されている。メインＲＡＭ３３には、制御プログラムの実行により決定された内部当籤役等の各種データを格納する格納領域が設けられる。
【００８５】
（乱数発生器等）
メインＣＰＵ３１には、クロックパルス発生回路３４、分周器３５、乱数発生器３６及びサンプリング回路３７が接続されている。クロックパルス発生回路３４及び分周器３５は、クロックパルスを発生する。メインＣＰＵ３１は、発生されたクロックパルスに基づいて、制御プログラムを実行する。乱数発生器３６は、予め定められた範囲の乱数（例えば、０〜６５５３５）を発生する。サンプリング回路３７は、発生された乱数の中から１つの値を抽出する。
【００８６】
（スイッチ等）
マイクロコンピュータ３０の入力ポートには、スイッチ等が接続されている。メインＣＰＵ３１は、スイッチ等の入力を受けて、ステッピングモータ４９Ｌ，４９Ｃ，４９Ｒ等の周辺装置の動作を制御する。ストップスイッチ７Ｓは、３つのストップボタン７Ｌ，７Ｃ，７Ｒのそれぞれが遊技者により押されたこと（停止操作）を検出する。また、スタートスイッチ６Ｓは、スタートレバー６が遊技者により操作されたこと（開始操作）を検出する。
【００８７】
メダルセンサ４２Ｓは、メダル投入口１０に受け入れられたメダルが前述のセレクタ４２内を通過したことを検出する。また、ベットスイッチ１１Ｓは、ベットボタン１１が遊技者により押されたことを検出する。また、精算スイッチ１２Ｓは、精算ボタン１２が遊技者により押されたことを検出する。
【００８８】
（周辺装置及び回路）
マイクロコンピュータ３０により動作が制御される周辺装置としては、ステッピングモータ４９Ｌ，４９Ｃ，４９Ｒ、７セグ表示器１３及びホッパー４０がある。また、マイクロコンピュータ３０の出力ポートには、各周辺装置の動作を制御するための回路が接続されている。
【００８９】
モータ駆動回路３９は、各リール３Ｌ，３Ｃ，３Ｒに対応して設けられたステッピングモータ４９Ｌ，４９Ｃ，４９Ｒの駆動を制御する。リール位置検出回路５０は、発光部と受光部とを有する光センサにより、リール３Ｌ，３Ｃ，３Ｒが一回転したことを示すリールインデックスを各リール３Ｌ，３Ｃ，３Ｒに応じて検出する。
【００９０】
ステッピングモータ４９Ｌ，４９Ｃ，４９Ｒは、運動量がパルスの出力数に比例し、回転軸を指定された角度で停止させることが可能な構成を備えている。ステッピングモータ４９Ｌ，４９Ｃ，４９Ｒの駆動力は、所定の減速比をもったギアを介してリール３Ｌ，３Ｃ，３Ｒに伝達される。ステッピングモータ４９Ｌ，４９Ｃ，４９Ｒに対して１回のパルスが出力されるごとに、リール３Ｌ，３Ｃ，３Ｒは一定の角度で回転する。
【００９１】
メインＣＰＵ３１は、リールインデックスを検出してからステッピングモータ４９Ｌ，４９Ｃ，４９Ｒに対してパルスを出力した回数をカウントすることによって、リール３Ｌ，３Ｃ，３Ｒの回転角度（主に、リール３Ｌ，３Ｃ，３Ｒが図柄何個分だけ回転したか）を管理し、リール３Ｌ，３Ｃ，３Ｒの表面に配された各図柄の位置を管理するようにしている。
【００９２】
表示部駆動回路４８は、７セグ表示器１３の動作を制御する。また、ホッパー駆動回路４１は、ホッパー４０の動作を制御する。また、払出完了信号回路５１は、ホッパー４０に設けられたメダル検出部４０Ｓが行うメダルの検出を管理し、ホッパー４０から外部に排出されたメダルが払出枚数に達したか否かをチェックする。
【００９３】
＜副制御回路＞
図８は、本実施の形態におけるパチスロ１の副制御回路７２の構成を示すブロック図である。
【００９４】
副制御回路７２は、主制御回路７１と電気的に接続されており、主制御回路７１から送信されるコマンドに基づいて演出内容の決定や実行等の処理を行う。副制御回路７２は、基本的に、ＣＰＵ（以下、サブＣＰＵ）８１、ＲＯＭ（以下、サブＲＯＭ）８２、ＲＡＭ（以下、サブＲＡＭ）８３、レンダリングプロセッサ８４、描画用ＲＡＭ８５、ドライバ８７、ＤＳＰ（デジタルシグナルプロセッサ）８８、オーディオＲＡＭ８９、Ａ／Ｄ変換器９０及びアンプ９１を含んで構成されている。
【００９５】
サブＣＰＵ８１は、主制御回路７１から送信されたコマンドに応じて、サブＲＯＭ８２に記憶されている制御プログラムに従い、映像、音、光の出力の制御を行う。サブＲＡＭ８３は、決定された演出内容や演出データを登録する格納領域や、主制御回路７１から送信される内部当籤役等の各種データを格納する格納領域が設けられている。サブＲＯＭ８２は、基本的に、プログラム記憶領域とデータ記憶領域によって構成される。
【００９６】
プログラム記憶領域には、サブＣＰＵ８１が実行する制御プログラムが記憶されている。例えば、制御プログラムには、主制御回路７１との通信を制御するための主基板通信タスクや、演出用乱数値を抽出し、演出内容（演出データ）の決定及び登録を行うための演出登録タスク、決定した演出内容に基づいて液晶表示装置５による映像の表示を制御する描画制御タスク、ランプ１４による光の出力を制御するランプ制御タスク、スピーカ９Ｌ，９Ｒによる音の出力を制御する音声制御タスク等が含まれる。
【００９７】
データ記憶領域は、各種データテーブルを記憶する記憶領域、各演出内容を構成する演出データを記憶する記憶領域、映像の作成に関するアニメーションデータを記憶する記憶領域、ＢＧＭや効果音に関するサウンドデータを記憶する記憶領域、光の点消灯のパターンに関するランプデータを記憶する記憶領域等が含まれている。
【００９８】
また、副制御回路７２には、その動作が制御される周辺装置として、液晶表示装置５、スピーカ９Ｌ，９Ｒ及びランプ１４が接続されている。
【００９９】
サブＣＰＵ８１、レンダリングプロセッサ８４、描画用ＲＡＭ８５（フレームバッファ８６を含む）及びドライバ８７は、演出内容により指定されたアニメーションデータに従って映像を作成し、作成した映像を液晶表示装置５により表示する。
【０１００】
また、サブＣＰＵ８１、ＤＳＰ８８、オーディオＲＡＭ８９、Ａ／Ｄ変換器９０及びアンプ９１は、演出内容により指定されたサウンドデータに従ってＢＧＭ等の音をスピーカ９Ｌ，９Ｒにより出力する。また、サブＣＰＵ８１は、演出内容により指定されたランプデータに従ってランプ１４の点灯及び消灯を行う。
【０１０１】
［メインＲＯＭに記憶されているデータテーブルの構成］
パチスロ１が備える回路の構成についての説明は以上である。次に、図９を参照して、メインＲＯＭ３２に記憶されている図柄配置テーブルの構成について説明する。
【０１０２】
［図柄配置テーブル］
図９は、図柄配置テーブルを示す説明図である。図柄配置テーブルは、各リール３Ｌ，３Ｃ，３Ｒの回転方向における各図柄の位置と、各位置に配された図柄の種類を特定するデータ（以下、図柄コード）とを規定している。
【０１０３】
図柄配置テーブルは、リールインデックスが検出されるときに表示窓２１Ｌ，２１Ｃ，２１Ｒ内の中段に存在する図柄の位置を「０」として、リール３Ｌ，３Ｃ，３Ｒの回転方向に進む順に、各図柄の位置に対して「０」〜「２０」をそれぞれ割り当てている。したがって、リールインデックスが検出されてから図柄何個分の回転が行われたかを管理しつつ、図柄配置テーブルを参照することによって、主として表示窓２１Ｌ，２１Ｃ，２１Ｒの中段に存在する図柄の位置及びその図柄の種類を常に管理することが可能となっている。
【０１０４】
［パチスロにおいて実行されるプログラムフロー］
次に、図１０を参照して、主制御回路７１のメインＣＰＵ３１により実行されるプログラムの内容について説明する。
【０１０５】
［主制御回路のメインＣＰＵの制御によるメインフローチャート］
図１０は、メインＣＰＵ３１の基本制御を示すメインフローチャートである。パチスロ１に電源が投入されると、はじめに、メインＣＰＵ３１は、初期化処理を行う（Ｓ１）。次に、メインＣＰＵ３１は、メインＲＡＭ３３における指定格納領域のクリアを行う（Ｓ２）。この処理では、例えば、内部当籤役格納領域や表示役格納領域等、１回の遊技ごとに消去が必要となる格納領域に格納されたデータがクリアされる。
【０１０６】
次に、メインＣＰＵ３１は、メダル受付・スタートチェック処理を行う（Ｓ３）。この処理では、メダルセンサ４２Ｓやスタートスイッチ６Ｓの入力のチェック等が行われる。
【０１０７】
次に、メインＣＰＵ３１は、乱数値を抽出し、メインＲＡＭ３３に設けられた乱数値格納領域に格納する（Ｓ４）。次に、メインＣＰＵ３１は、内部抽籤処理を行う（Ｓ５）。この処理では、乱数値に基づいた抽籤により内部当籤役の決定が行われる。次に、メインＣＰＵ３１は、スタートコマンドを副制御回路７２に対して送信する（Ｓ６）。スタートコマンドは、内部当籤役等を特定するパラメータを含んで構成される。
【０１０８】
次に、メインＣＰＵ３１は、全リール３Ｌ，３Ｃ，３Ｒの回転開始を要求する（Ｓ７）。尚、全リール３Ｌ，３Ｃ，３Ｒの回転開始が要求されると、一定の周期（１．１１７３ｍｓｅｃ）で実行される割込処理によってステッピングモータ４９Ｌ，４９Ｃ，４９Ｒの駆動が制御され、各リール３Ｌ，３Ｃ，３Ｒの回転が開始される。
【０１０９】
次に、メインＣＰＵ３１は、リール停止制御処理を行う（Ｓ８）。この処理では、ストップスイッチ７Ｓの入力のチェックが行われ、ストップボタン７Ｌ，７Ｃ，７Ｒが押されたタイミングと内部当籤役とに基づいて該当リール３Ｌ，３Ｃ，３Ｒの回転が停止される。
【０１１０】
次に、メインＣＰＵ３１は、入賞判定ラインに沿って表示された図柄の組合せを検索し、その結果に基づいて払出枚数等を決定する（Ｓ９）。検索の結果、入賞判定ラインに沿って表示された図柄の組合せが図柄組合せテーブルにより規定されている図柄の組合せと一致する場合、対応する表示役及び払出枚数が決定される。次に、メインＣＰＵ３１は、表示コマンドを副制御回路７２に対して送信する（Ｓ１０）。表示コマンドは、表示役や払出枚数等を特定するパラメータを含んで構成される。
【０１１１】
次に、メインＣＰＵ３１は、メダル払出処理を行う（Ｓ１１）。この処理では、決定された払出枚数に基づいて、ホッパー４０の駆動やクレジット枚数の更新が行われる。次に、メインＣＰＵ３１は、払出枚数に基づいて、ボーナス終了枚数カウンタを更新する（Ｓ１２）。この処理では、払出枚数として決定された数値がボーナス終了枚数カウンタから減算される。
【０１１２】
次に、メインＣＰＵ３１は、ボーナス作動中フラグがオンであるか否かを判別する（Ｓ１３）。メインＣＰＵ３１は、ボーナス作動中フラグがオンであると判別したときには、ボーナス終了チェック処理を行う（Ｓ１４）。この処理では、ボーナスの終了契機を管理するための各種カウンタを参照して、ボーナスの作動を終了するか否かがチェックされる。
【０１１３】
メインＣＰＵ３１は、Ｓ１４の後、又は、Ｓ１３においてボーナス作動中フラグがオンではないと判別したときには、ボーナス作動チェック処理を行う（Ｓ１５）。この処理では、ボーナスの作動を開始するか否かがチェックされる。この処理が終了すると、Ｓ２に移る。
【０１１４】
（ベットボタンの作用等）
次に、図４及び図６を参照して、パチスロ１に係るベットボタン１１の作用及び効果について説明する。
【０１１５】
図４に示すように、ベットボタン１１の押圧操作がなされていないとき、すなわち、ボタン本体１１ｂが筐体１１ａの底部側に押し込まれていないときには、短絡体１１ｐは永久磁石１１ｒによる吸引力が及ばない離れた所に位置にしていると共に、圧縮コイルばね１１ｋによって付勢されているので、短絡体１１ｐは一対の電極１１ｎ，１１ｎと当接したままとなっており、一対の電極１１ｎ，１１ｎを短絡する。
【０１１６】
一方、図６に示すように、ベットボタン１１の押圧操作がなされたとき、すなわち、ボタン本体１１ｂが筐体１１ａの底部側に押し込まれたときには、短絡体１１ｐは永久磁石１１ｒによる吸引力が及ぶ所に位置にしているので、圧縮コイルばね１１ｋの付勢力に抗して永久磁石１１ｒに吸着される。この結果、短絡体１１ｐは一対の電極１１ｎ，１１ｎと当接しなくなり、短絡が開放される。
【０１１７】
そして、上記短絡時及び上記短絡開放時における上記一対の電極１１ｎ，１１ｎからの出力の違いを主制御回路７１で検出することによって、ベットボタン１１の押圧操作の有無を検知することができる。
【０１１８】
以上のように、第１実施形態によるパチスロ１は、ベットボタン１１の押圧操作を磁力によって検知しているので、外乱光に影響されずに正常に検知できる。したがって、第１実施形態によれば、パチスロ１が設置される場所にかかわらず、押圧操作を正常に検知できるベットボタン１１を備えたパチスロ１を提供することができる。
【０１１９】
尚、上記実施形態においては、上記磁力による検知機構をベットボタン１１に適用する例を説明したが、操作ボタンである精算ボタン１２に対して上記磁力による検知機構を適用してもよい。
【０１２０】
〔第２実施形態〕
（ストップボタン）
次に、図１１、図１２及び図１３を参照して、第２実施形態におけるパチスロ１が備えるストップボタン７Ｃの構成を説明する。尚、ストップボタン７Ｌ，７Ｒの構成は、ストップボタン７Ｃの構成と同一であるので、詳細な説明を省略する。
【０１２１】
ここで、図１１は、第２実施形態に係る押圧前のストップボタン７Ｃの内部構成を示す断面図、図１２は、短絡体及び電極を示す平面図、図１３は、押圧時のストップボタン７Ｃの内部構成を示す断面図である。
【０１２２】
図１１〜図１３に示すように、ストップボタン７Ｃは、有底円筒状の筐体７ａと、押し込み操作によって筐体７ａの内部を底部側に向かって移動可能な円盤状のボタン本体７ｂと、筐体７ａの底部側に押し込まれたボタン本体７ｂを初期位置に復帰させる圧縮コイルばね（付勢部材）７ｊと、ボタン本体７ｂの押し込み方向の先端部に設けられた永久磁石７ｒと、筐体７ａの底部に配置された基板７ｆと、永久磁石７ｒに対向するように基板７ｆに配設された一対の電極７ｎ，７ｎと、ボタン本体７ｂの押し込み量に応じて一対の電極７ｎ，７ｎ又は永久磁石７ｒのいずれか一方側に移動可能に設けられ、導電性及び強磁性を有する短絡体７ｐと、を備える。
【０１２３】
筐体７ａの内側壁部には、一対の係止突起７ｅ，７ｅが設けられている。ボタン本体７ｂの底部両端には、一対の片矢印状の係止片７ｄ，７ｄが設けられている。
【０１２４】
上記一対の係止突起７ｅ，７ｅは、ボタン本体７ｂの底部両端及び係止片７ｄ，７ｄの先端部と当接可能に突設されている。すなわち、係止突起７ｅ，７ｅは、ボタン本体７ｂの押圧方向の移動量を規制すると共に、係止片７ｄ，７ｄの反押圧方向の移動量を規制するように筐体７ａに設けられている。
【０１２５】
ボタン本体７ｂの底部中央には、圧縮コイルばね７ｊを巻装する軸部７ｃが設けられている。圧縮コイルばね７ｊは、一端がボタン本体７ｂの底部に固定され、他端が基板７ｆに固定されている。
【０１２６】
軸部７ｃの先端中央には、凹部７ｈが設けられている。凹部７ｈの深さは、ボタン本体７ｂが押圧された際に、後述する軸部７ｇの先端部が当接しない程度のものである。軸部７ｃの先端には、円環状の永久磁石７ｒが同軸に固着されている。
【０１２７】
筐体７ａの底部中央には、軸部７ｇが基板７ｆを貫いて立設されている。一対の電極７ｎ，７ｎは、図１１及び図１２に示すように、軸部７ｇを挟み、離間して配置されている。尚、基板７ｆ上の一対の電極７ｎ，７ｎの配線は、筐体７ａの外部に引き出され、主制御回路７１の主基板７１Ａと接続されている。
【０１２８】
短絡体７ｐは、導電性及び強磁性を有する素材（例えば、鉄等）により円環状に形成されている。尚、短絡体７ｐは、強磁性を有する素材を良導電性物質で被覆して形成してもよい。短絡体７ｐは、軸部７ｇに挿通され、半径方向の移動を規制されていると共に、軸部７ｇの軸方向にのみ移動可能となっている。
【０１２９】
また、短絡体７ｐの直径は、軸部７ｃ及び永久磁石７ｒの直径と同一、或いは若干大きめに形成されているが、圧縮コイルばね７ｊの内径よりも若干小さく形成されている。
【０１３０】
また、軸部７ｇの上部には、圧縮コイルばね７ｋの一端を係止する係止部７ｍが設けられている。圧縮コイルばね７ｋの他端は、短絡体７ｐに固定されている。すなわち、短絡体７ｐは、圧縮コイルばね７ｋによって一対の電極７ｎ，７ｎ側に常時、付勢されている。したがって、短絡体７ｐは、ボタン本体７ｂの押圧操作により永久磁石７ｒによって引き寄せられていないときには、当該一対の電極７ｎ，７ｎと当接している。
【０１３１】
永久磁石７ｒの磁力の強さ及び圧縮コイルばね７ｋの圧縮力（付勢力）の強さは、次の関係を有している。すなわち、ボタン本体７ｂの押圧操作により永久磁石７ｒが短絡体７ｐに近接したときに、短絡体７ｐは、圧縮コイルばね７ｋの付勢力に抗して永久磁石７ｒに吸着され、一対の電極７ｎ，７ｎの短絡を開放する。
【０１３２】
以上のように、短絡体７ｐは、ボタン本体７ｂが筐体７ａの底部側に押し込まれていないときには、一対の電極７ｎ，７ｎを短絡する一方、ボタン本体７ｂが筐体７ａの底部側に押し込まれたときには、永久磁石７ｒに吸着され、一対の電極７ｎ，７ｎの短絡を開放するように構成されている。すなわち、短絡体７ｐ、一対の電極７ｎ，７ｎ及び永久磁石７ｒは、ストップスイッチ７Ｓ（図７参照）を構成している。
【０１３３】
パチスロ１におけるストップボタン７Ｌ，７Ｃ，７Ｒ以外の構成は、上記第１実施形態の場合と同様であるので、説明を省略する。また、パチスロ１の基本制御も上記第１実施形態の場合と同様であるので説明を省略し、本発明に係る特徴的な作用及び効果について以下に説明する。
【０１３４】
（ストップボタンの作用等）
図１１及び図１３を参照して、パチスロ１に係るストップボタン７Ｃの作用及び効果について説明する。
【０１３５】
図１１に示すように、ストップボタン７Ｃの押圧操作がなされていないとき、すなわち、ボタン本体７ｂが筐体７ａの底部側に押し込まれていないときには、短絡体７ｐは永久磁石７ｒによる吸引力が及ばない離れた所に位置にしていると共に、圧縮コイルばね７ｋによって付勢されているので、短絡体７ｐは一対の電極７ｎ，７ｎと当接したままとなっており、一対の電極７ｎ，７ｎを短絡する。
【０１３６】
一方、図１３に示すように、ストップボタン７Ｃの押圧操作がなされたとき、すなわち、ボタン本体７ｂが筐体７ａの底部側に押し込まれたときには、短絡体７ｐは永久磁石７ｒによる吸引力が及ぶ所に位置にしているので、圧縮コイルばね７ｋの付勢力に抗して永久磁石７ｒに吸着される。この結果、短絡体７ｐは一対の電極７ｎ，７ｎと当接しなくなり、短絡が開放される。
【０１３７】
そして、上記短絡時及び上記短絡開放時における上記一対の電極７ｎ，７ｎからの出力の違いを主制御回路７１で検出することによって、ストップボタン７Ｃの押圧操作の有無を検知することができる。
【０１３８】
以上のように、第２実施形態によるパチスロ１は、ストップボタン７Ｌ，７Ｃ，７Ｒの押圧操作を磁力によって検知しているので、外乱光に影響されずに正常に検知できる。したがって、第２実施形態によれば、パチスロ１が設置される場所にかかわらず、押圧操作を正常に検知できるストップボタン７Ｌ，７Ｃ，７Ｒを備えたパチスロ１を提供することができる。
【０１３９】
〔第３実施形態〕
（スタートレバー）
次に、図１４〜図１７を参照して、第３実施形態におけるパチスロ１が備えるスタートレバー６の構成を説明する。
【０１４０】
ここで、図１４は、第３実施形態に係る傾動操作前のスタートレバー６を示す断面図、図１５は、スイッチ本体と永久磁石とが離れている状態を示す拡大断面図、図１６は、傾動操作時のスタートレバー６を示す断面図、図１７は、スイッチ本体と永久磁石とが近接している状態を示す拡大断面図である。
【０１４１】
図１４に示すように、スタートレバー６は、傾動可能なシャフト６１と、当該シャフト６１の先端に設けられ、遊技者によって把持される球状のグリップ６２と、を有している。シャフト６１は、ボデー６３及びケース６７に収容されている。
【０１４２】
ボデー６３は、外周にねじ部６３ａが形成され、前面パネル２ａに穿設された取付孔２ｂに挿通されている。ボデー６３のねじ部６３ａにナット２ｃが螺合されることにより、ボデー６３が前面パネル２ａに締結されている。
【０１４３】
ボデー６３の前面には凹部６３ｃが設けられ、この凹部６３ｃに緩衝部材６１ａ，６１ｂを介してシャフト６１が挿通されている。シャフト６１は、軸部６３ｂによってボデー６３に傾動自在に軸支されている。
【０１４４】
シャフト６１の基端側には、円筒状のホルダ６５を介して圧縮コイルばね６４が巻装されている。ホルダ６５の一端は、Ｅリング６６によって係止され、他端はボデー６３によって係止されている。圧縮コイルばね６４は、傾動したシャフト６１を元の状態に復帰させるためのものである。
【０１４５】
以上のように傾動可能に構成されたスタートレバー６は、図１４及び図１６に示すように、シャフト６１の基端側にスタートレバー６の姿勢を検知するスタートスイッチ（姿勢検知装置）６Ｓを備えている。
【０１４６】
図１５及び図１７に示すように、スタートスイッチ６Ｓは、ケース６７の内壁に設けられたスイッチ本体６８と、スイッチ本体６８に近接可能な永久磁石６９と、から構成されている。スイッチ本体６８は、天井面に基板６８ｂを有する筐体６８ａと、基板６８ｂに設けられた一対の電極６８ｃ，６８ｃと、導電性及び強磁性を有し一対の電極６８ｃ，６８ｃを短絡又は開放する短絡体６８ｅと、一対の電極６８ｃ，６８ｃに当接するように短絡体６８ｅを付勢する圧縮コイルばね（付勢部材）６８ｈと、を有する。
【０１４７】
短絡体６８ｅは、導電性及び強磁性を有する素材（例えば、鉄等）により断面ハット状の円筒に形成されている。尚、短絡体６８ｅは、強磁性を有する素材を良導電性物質で被覆して形成してもよい。短絡体６８ｅは、軸部６８ｄを挿通する貫通穴７４ｆを中心に有している。
【０１４８】
基板６８ｂには、短絡体６８ｅ及び圧縮コイルばね６８ｈを挿通する軸部６８ｄが立設されている。また、基板６８ｂには、短絡体６８ｅが軸部６８ｄに沿って移動するのを案内する一対のガイド片６８ｇ，６８ｇが立設されている。
【０１４９】
一対の電極６８ｃ，６８ｃは、軸部６８ｄを挟み、離間して配置されている。尚、基板６８ｂ上の一対の電極６８ｃ，６８ｃの配線は、筐体６８ａの外部に引き出され、主制御回路７１の主基板７１Ａと接続されている。
【０１５０】
永久磁石６９は、シャフト６１の基端部に設けられ、かつ、スタートレバー６が傾動されたときにスイッチ本体６８に近接するように設けられている。そして、永久磁石６９がスイッチ本体６８に近接したときには、圧縮コイルばね６８ｈの付勢力に抗して短絡体６８ｅを一対の電極６８ｃ，６８ｃから磁力で引き離すことができるように構成されている。
【０１５１】
また、圧縮コイルばね６８ｈは、永久磁石６９がスイッチ本体６８に近接していないときには、短絡体６８ｅを付勢して一対の電極６８ｃ，６８ｃに当接させるように構成されている。
【０１５２】
短絡体６８ｅは、図１５に示すように、スタートレバー６が傾動されていないときには、一対の電極６８ｃ，６８ｃを短絡する一方、図１７に示すように、スタートレバー６が傾動されたときには、永久磁石６９の磁力によって当該永久磁石６９の側に引き寄せられ、一対の電極６８ｃ，６８ｃの短絡を開放するように構成されている。
【０１５３】
パチスロ１におけるスタートレバー６以外の構成は、上記第１実施形態の場合と同様であるので、説明を省略する。また、パチスロ１の基本制御も上記第１実施形態の場合と同様であるので説明を省略し、本発明に係る特徴的な作用及び効果について以下に説明する。
【０１５４】
（スタートレバーの作用等）
図１４〜図１７を参照して、パチスロ１に係るスタートレバー６の作用及び効果について説明する。
【０１５５】
図１４及び図１５に示すように、スタートレバー６の傾動操作がなされていないとき、すなわち、スイッチ本体６８の短絡体６８ｅと永久磁石６９とが離れているときには、短絡体６８ｅには永久磁石６９による吸引力が及ばないので、短絡体６８ｅは圧縮コイルばね６８ｈによる付勢によって一対の電極６８ｃ，６８ｃと当接したままとなっており、一対の電極６８ｃ，６８ｃを短絡している。
【０１５６】
一方、図１６及び図１７に示すように、スタートレバー６の傾動操作がなされたとき、すなわち、スイッチ本体６８の短絡体６８ｅと永久磁石６９とが近接したときには、短絡体６８ｅは永久磁石６９による吸引力が及ぶ所に位置にしているので、圧縮コイルばね６８ｈの付勢力に抗して一対の電極６８ｃ，６８ｃから引き離される。この結果、短絡体６８ｅは一対の電極６８ｃ，６８ｃと当接しなくなり、短絡が開放される。
【０１５７】
そして、上記短絡時及び上記短絡開放時における上記一対の電極６８ｃ，６８ｃからの出力の違いを主制御回路７１で検出することによって、スタートレバー６の傾動操作の有無を検知することができる。
【０１５８】
以上のように、第３実施形態によるパチスロ１は、スタートレバー６の傾動操作を磁力によって検知しているので、外乱光に影響されずに正常に検知できる。したがって、第３実施形態によれば、パチスロ１が設置される場所にかかわらず、傾動操作を正常に検知できるスタートレバー６を備えたパチスロ１を提供することができる。
【０１５９】
〔第４実施形態〕
（開閉検知スイッチ）
次に、図１８〜図２０を参照して、第４実施形態におけるパチスロ１が備える開閉検知スイッチ７３の構成を説明する。
【０１６０】
ここで、図１８は、第４実施形態に係るフロントドア開放前の開閉検知スイッチを示す断面図、図１９は、フロントドア開放後の開閉検知スイッチを示す断面図、図２０は、パチスロの主制御回路の構成を示すブロック図である。
【０１６１】
以下、説明の便宜上、キャビネット１ａとフロントドア２とが対向する面をそれぞれ対向面７６，７７と称する。図１８及び図１９に示すように、開閉検知スイッチ７３は、キャビネット１ａの対向面７６の凹部７６ａに設けられたスイッチ本体７４と、フロントドア２の対向面７７の凹部７７ａに設けられ、スイッチ本体７４に近接可能な永久磁石７５と、から構成されている。
【０１６２】
スイッチ本体７４は、対向面７６と面一となるように凹部７６ａに設けられている。スイッチ本体７４は、内面に基板７４ｂを有する筐体７４ａと、基板７４ｂに設けられた一対の電極７４ｃ，７４ｃと、導電性及び強磁性を有し一対の電極７４ｃ，７４ｃを短絡又は開放する短絡体７４ｅと、一対の電極７４ｃ，７４ｃに当接するように短絡体７４ｅを付勢する圧縮コイルばね（付勢部材）７４ｈと、を有する。
【０１６３】
短絡体７４ｅは、導電性及び強磁性を有する素材（例えば、鉄等）により断面ハット状の円筒に形成されている。短絡体７４ｅは、軸部７４ｄを挿通する貫通穴７４ｆを中心に有している。尚、短絡体７４ｅは、強磁性を有する素材を良導電性物質で被覆して形成してもよい。
【０１６４】
基板７４ｂには、短絡体７４ｅ及び圧縮コイルばね７４ｈを挿通する軸部７４ｄが立設されている。また、基板７４ｂには、短絡体７４ｅが軸部７４ｄに沿って移動するのを案内する一対のガイド片７４ｇ，７４ｇが立設されている。
【０１６５】
一対の電極７４ｃ，７４ｃは、軸部７４ｄを挟み、離間して配置されている。開閉検知スイッチ７３における一対の電極７４ｃ，７４ｃの配線は、筐体７４ａの外部に引き出され、図２０に示すように、主制御回路７１の主基板７１Ａと接続されている。
【０１６６】
永久磁石７５は、対向面７７と面一となるように凹部７７ａに設けられている。また、永久磁石７５は、図１８に示すように、フロントドア２が閉じられたときにキャビネット１ａのスイッチ本体７４に近接するように設けられている。そして、永久磁石７５がスイッチ本体７４に近接したときには、圧縮コイルばね７４ｈの付勢力に抗して短絡体７４ｅを一対の電極７４ｃ，７４ｃから磁力で引き離すことができるように構成されている。
【０１６７】
また、圧縮コイルばね７４ｈは、図１９に示すように、フロントドア２が開けられ、永久磁石７５がスイッチ本体７４に近接していないときには、短絡体７４ｅを付勢して一対の電極７４ｃ，７４ｃに当接させるように構成されている。
【０１６８】
図１９に示すように、短絡体７４ｅは、フロントドア２が開いているときには、一対の電極７４ｃ，７４ｃを短絡する一方、図１８に示すようにフロントドア２が閉じているときには、永久磁石７５の磁力によって当該永久磁石７５の側に引き寄せられ、一対の電極７４ｃ，７４ｃの短絡を開放するように構成されている。
【０１６９】
パチスロ１における開閉検知スイッチ７３以外の構成は、上記第１実施形態の場合と同様であるので、説明を省略する。また、パチスロ１の基本制御も上記第１実施形態の場合と同様であるので説明を省略し、本発明に係る特徴的な作用及び効果について以下に説明する。
【０１７０】
（開閉検知スイッチの作用等）
図１８及び図１９を参照して、パチスロ１に係る開閉検知スイッチ７３の作用及び効果について説明する。
【０１７１】
図１８に示すように、フロントドア２が閉じているとき、すなわち、スイッチ本体７４の短絡体７４ｅと永久磁石７５とが近接しているときには、短絡体７４ｅは永久磁石７５による吸引力が及ぶ所に位置にしているので、圧縮コイルばね７４ｈの付勢力に抗して一対の電極７４ｃ，７４ｃから引き離される。この結果、短絡体７４ｅは一対の電極７４ｃ，７４ｃと当接しなくなり、短絡が開放される。
【０１７２】
一方、図１９に示すように、フロントドア２が開いたとき、すなわち、スイッチ本体７４の短絡体７４ｅと永久磁石７５とが離れているときには、短絡体７４ｅには永久磁石７５による吸引力が及ばないので、短絡体７４ｅは圧縮コイルばね７４ｈによる付勢によって一対の電極７４ｃ，７４ｃと当接し、一対の電極７４ｃ，７４ｃを短絡している。
【０１７３】
そして、上記短絡時及び上記短絡開放時における上記一対の電極７４ｃ，７４ｃからの出力の違いを主制御回路７１で検出することによって、フロントドア２の開閉を検知することができる。
【０１７４】
以上のように、第４実施形態によるパチスロ１は、フロントドア２の開閉を磁力によって検知しているので、外乱光に影響されずに正常に検知できる。したがって、第４実施形態によれば、パチスロ１が設置される場所にかかわらず、フロントドア２の開閉を正常に検知できる開閉検知スイッチ７３を備えたパチスロ１を提供することができる。
【図面の簡単な説明】
【０１７５】
【図１】パチスロの機能フローを示す説明図である。
【図２】パチスロの外部構造を示す斜視図である。
【図３】パチスロの内部構造を示す斜視図である。
【図４】第１実施形態に係る押圧前のベットボタンの内部構成を示す断面図である。
【図５】短絡体及び電極を示す平面図である。
【図６】押圧時のベットボタンの内部構成を示す断面図である。
【図７】パチスロの主制御回路の構成を示すブロック図である。
【図８】パチスロの副制御回路の構成を示すブロック図である。
【図９】図柄配置テーブルを示す説明図である。
【図１０】メインＣＰＵの基本制御を示すメインフローチャートである。
【図１１】第２実施形態に係る押圧前のストップボタンの内部構成を示す断面図である。
【図１２】短絡体及び電極を示す平面図である。
【図１３】押圧時のストップボタンの内部構成を示す断面図である。
【図１４】第３実施形態に係る傾動操作前のスタートレバーを示す断面図である。
【図１５】スイッチ本体と永久磁石とが離れている状態を示す拡大断面図である。
【図１６】傾動操作時のスタートレバーを示す断面図である。
【図１７】スイッチ本体と永久磁石とが近接している状態を示す拡大断面図である。
【図１８】第４実施形態に係るフロントドア開放前の開閉検知スイッチを示す断面図である。
【図１９】フロントドア開放後の開閉検知スイッチを示す断面図である。
【図２０】パチスロの主制御回路の構成を示すブロック図である。
【符号の説明】
【０１７６】
１  パチスロ（遊技機）
１ａ  キャビネット
２  フロントドア
６  スタートレバー
７Ｃ，７Ｌ，７Ｒ  ストップボタン（停止ボタン）
７ａ  筐体
７ｂ  ボタン本体
７ｆ  基板
７ｊ  圧縮コイルばね（付勢部材）
７ｎ  電極
７ｐ  短絡体
７ｒ  永久磁石
１１  ベットボタン
１１ａ  筐体
１１ｂ  ボタン本体
１１ｆ  基板
１１ｊ  圧縮コイルばね（付勢部材）
１１ｎ  電極
１１ｐ  短絡体
１１ｒ  永久磁石
６８  スイッチ本体
６８ａ  筐体
６８ｂ  基板
６８ｃ  電極
６８ｅ  短絡体
６８ｈ  圧縮コイルばね（付勢部材）
６９  永久磁石
７１  主制御回路
７３  開閉検知スイッチ（開閉検知装置）
７４  スイッチ本体
７４ａ  筐体
７４ｂ  基板
７４ｃ  電極
７４ｅ  短絡体
７４ｈ  圧縮コイルばね（付勢部材）
７５  永久磁石
７６，７７  対向面
【図１】
2010005082.tif 000003
【図２】
2010005082.tif 000004
【図３】
2010005082.tif 000005
【図４】
2010005082.tif 000006
【図５】
2010005082.tif 000007
【図６】
2010005082.tif 000008
【図７】
2010005082.tif 000009
【図８】
2010005082.tif 000010
【図９】
2010005082.tif 000011
【図１０】
2010005082.tif 000012
【図１１】
2010005082.tif 000013
【図１２】
2010005082.tif 000014
【図１３】
2010005082.tif 000015
【図１４】
2010005082.tif 000016
【図１５】
2010005082.tif 000017
【図１６】
2010005082.tif 000018
【図１７】
2010005082.tif 000019
【図１８】
2010005082.tif 000020
【図１９】
2010005082.tif 000021
【図２０】
2010005082.tif 000022